(57)【要約】【課題】実装部品が実装されている回路基板の支持部材への取着が正しいか否かを目視で判別することができる回路基板の取着構造を提供する。【解決手段】複数種類の回路基板６のいずれか一つを支持する支持部材８に、回路基板６が取着される取着爪８３と、複数種類の回路基板６の種類が表示されている複数の表示部８１，８２とを設け、回路基板６に、取着爪８３に取着される被取着部６５と、該回路基板６に対応する表示部８１が非隠蔽となる非隠蔽部６３と、回路基板６に対応しない表示部８２が隠蔽される隠蔽部６４とを設け、スイッチが実装されている回路基板６の支持部材８への取着が正しいか否かを目視で判別することができるようにした。【選択図】図６
2008004801.tif 000002
【特許請求の範囲】
【請求項１】
複数種類の回路基板のいずれか一つを支持する支持部材に前記回路基板を取着する取着構造において、前記支持部材は、前記回路基板が取着される取着部と、複数種類の回路基板の種類が表示されている複数の表示部とを有し、前記回路基板は、前記取着部に取着される被取着部と、該回路基板に対応する前記表示部が非隠蔽となる非隠蔽部と、前記回路基板に対応しない前記表示部が隠蔽される隠蔽部とを有することを特徴とする回路基板の取着構造。
【請求項２】
前記支持部材は略直方体をなし、該支持部材の一稜に沿って前記表示部を並置してあり、前記回路基板の一辺に前記非隠蔽部及び隠蔽部を並置してある請求項１記載の回路基板の取着構造。
【請求項３】
複数種類の回路基板のいずれか一つを支持する支持部材に前記回路基板を取着する取着構造において、前記支持部材は、前記回路基板が取着される取着部と、該取着部に取着される一つの回路基板に対応することが表示されている第１の表示部と、前記一つの回路基板に対応しないことが表示されている第２の表示部とを有し、前記回路基板は、前記第１の表示部が非隠蔽となる非隠蔽部と、前記第２の表示部が隠蔽される隠蔽部とを有することを特徴とする回路基板の取着構造。
【請求項４】
複数種類の回路基板のいずれか一つを支持する支持部材に前記回路基板を取着する取着構造において、前記支持部材は、前記回路基板の実装部品が実装されている実装面と対向する側が開放されている箱部と、該箱部から前記回路基板側へ延出され、該回路基板の周縁部に係止される複数の取着爪と、前記箱部の開放側から前記実装面に沿う方向へ延出され、複数種類の回路基板の種類が表示されている複数の表示凸部とを有し、前記回路基板は、該回路基板に対応する前記表示凸部が非隠蔽となる非隠蔽部と、周縁部から前記実装面に沿う方向へ延出され、前記回路基板に対応しない前記表示凸部が隠蔽される隠蔽凸部とを有することを特徴とする回路基板の取着構造。
【発明の詳細な説明】
【技術分野】
【０００１】
本発明は液晶表示装置、プラズマ表示装置等に使用される回路基板を支持部材に取着する取着構造に関する。
【背景技術】
【０００２】
液晶テレビは、前側に画像表示面を有し、後側にバックライト、電源基板等の電気部品を有する画像表示部と、該画像表示部の前側周縁部を取囲むフロントキャビネットと、画像表示部の後側を覆うバックキャビネットとを備えている（例えば、特許文献１参照）。また、このように構成された液晶テレビの画像表示部には画像表示面に画像を表示する画像表示手段及び該画像表示手段を制御する制御部と、該制御部をバックキャビネットの外部で手動により制御操作する押釦等の操作部と、該操作部に対応する複数のスイッチが実装されている回路基板とが設けられている。
【０００３】
ところで、液晶テレビにあっては、画像表示面の大きさが異なる複数機種の間で回路基板の回路基板本体、該回路基板本体を支持する支持部材を共通部品とし、回路基板に実装されるスイッチ等の実装部品を液晶テレビの機種に応じて異ならせることによりコストの低減化が図られている。
【特許文献１】特開２００５−１３４５９１号公報
【発明の開示】
【発明が解決しようとする課題】
【０００４】
ところが、以上のように回路基板本体及び支持部材が共通化された場合、支持部材に設けられている回路基板用の取着部及び回路基板に設けられている被取着部の位置は同じであるため、実装部品が実装されている回路基板が支持部材に取着されるとき、液晶テレビの機種に対応しない回路基板が誤って取着されても、この誤りに気付くことができず、誤りを見逃すことになり、改善策が要望されていた。
【０００５】
また、支持部材の全体が共通化されなくとも、支持部材に設けられている回路基板用の取着部の位置が同じであり、回路基板本体が共通化されているときは、上記と同様、液晶テレビの機種に対応しない回路基板が誤って取着されても、この誤りに気付くことができず、誤りを見逃すことになる。
【０００６】
本発明は斯かる事情に鑑みてなされたものであり、主たる目的は複数種類の回路基板のいずれか一つを支持する支持部材に、回路基板が取着される取着部と、複数種類の回路基板の種類が表示されている複数の表示部とを設け、回路基板に、前記取着部に取着される被取着部と、該回路基板に対応する前記表示部が非隠蔽となる非隠蔽部と、前記回路基板に対応しない前記表示部が隠蔽される隠蔽部とを設けることにより、回路基板の支持部材への取着が正しいか否かを目視で判別することができる回路基板の取着構造を提供することにある。
【０００７】
また、他の目的は略直方体をなす支持部材の一稜に沿って前記表示部を並置し、回路基板の一辺に非隠蔽部及び隠蔽部を並置することにより、回路基板の取着が正しいか否かの判別を迅速に行うことができる回路基板の取着構造を提供することにある。
【０００８】
また、他の目的は複数種類の回路基板のいずれか一つを支持する支持部材に、回路基板が取着される取着部と、該取着部に取着される一つの回路基板に対応することが表示されている第１の表示部と、前記一つの回路基板に対応しないことが表示されている第２の表示部とを設け、回路基板に、前記第１の表示部が非隠蔽となる非隠蔽部と、前記第２の表示部が隠蔽される隠蔽部とを設けることにより、共通化されていない支持部材に回路基板が取着されるとき、回路基板の取着が正しいか否かを目視で判別することができる回路基板の取着構造を提供することにある。
【０００９】
また、他の目的は複数種類の回路基板のいずれか一つを支持する支持部材を、回路基板の実装面と対向する側が開放されている箱部と、該箱部から回路基板側へ延出され、該回路基板の周縁部に係止される複数の取着爪と、箱部の開放側から前記実装面に沿う方向へ延出され、複数種類の回路基板の種類が表示されている複数の表示凸部とを有する構成とし、回路基板を、該回路基板に対応する表示凸部が非隠蔽となる非隠蔽部と、周縁部から前記実装面に沿う方向へ延出され、前記回路基板に対応しない前記表示凸部が隠蔽される隠蔽凸部とを有する構成とすることにより、回路基板の支持部材への取着が正しいか否かを目視で判別することができる回路基板の取着構造を提供することにある。
【課題を解決するための手段】
【００１０】
本発明に係る回路基板の取着構造は、複数種類の回路基板のいずれか一つを支持する支持部材に前記回路基板を取着する取着構造において、前記支持部材は、前記回路基板が取着される取着部と、複数種類の回路基板の種類が表示されている複数の表示部とを有し、前記回路基板は、前記取着部に取着される被取着部と、該回路基板に対応する前記表示部が非隠蔽となる非隠蔽部と、前記回路基板に対応しない前記表示部が隠蔽される隠蔽部とを有することを特徴とする。
【００１１】
この発明にあっては、支持部材に表示されている一つの表示部と対応する回路基板が取着されるとき、該回路基板の隠蔽部が回路基板に対応しない表示部を隠蔽し、回路基板に対応する表示部が非隠蔽になるため、この非隠蔽の表示部を目視することにより、回路基板の取着が正しいことを判別することができる。また、支持部材に表示されている一つの表示部と対応しない回路基板が取着されるとき、該回路基板の隠蔽部が回路基板に対応する表示部を隠蔽し、回路基板に対応しない表示部が非隠蔽になるため、この非隠蔽の表示部を目視することにより、回路基板の取着が誤っていることを判別することができる。
【００１２】
また、本発明に係る回路基板の取着構造は、前記支持部材は略直方体をなし、該支持部材の一稜に沿って前記表示部を並置してあり、前記回路基板の一辺に前記非隠蔽部及び隠蔽部を並置してあることを特徴とする。
【００１３】
この発明にあっては、一稜に沿って並置されている複数の表示部を一目で目視することができるため、回路基板の取着が正しいか否かの判別を迅速に行うことができる。
【００１４】
また、本発明に係る回路基板の取着構造は、複数種類の回路基板のいずれか一つを支持する支持部材に前記回路基板を取着する取着構造において、前記支持部材は、前記回路基板が取着される取着部と、該取着部に取着される一つの回路基板に対応することが表示されている第１の表示部と、前記一つの回路基板に対応しないことが表示されている第２の表示部とを有し、前記回路基板は、前記第１の表示部が非隠蔽となる非隠蔽部と、前記第２の表示部が隠蔽される隠蔽部とを有することを特徴とする。
【００１５】
この発明にあっては、支持部材に表示されている第１の表示部と対応する回路基板が取着されるとき、該回路基板の隠蔽部が回路基板に対応しない第２の表示部を隠蔽し、回路基板に対応する第１の表示部が非隠蔽になるため、この非隠蔽の第１の表示部を目視することにより、回路基板の取着が正しいことを判別することができる。また、支持部材に表示されている第１の表示部と対応しない回路基板が取着されるとき、該回路基板の隠蔽部が回路基板に対応する第１の表示部を隠蔽し、回路基板に対応しない第２の表示部が非隠蔽になるため、この非隠蔽の第２の表示部を目視することにより、回路基板の取着が誤っていることを判別することができる。
【００１６】
また、本発明に係る回路基板の取着構造は、複数種類の回路基板のいずれか一つを支持する支持部材に前記回路基板を取着する取着構造において、前記支持部材は、前記回路基板の実装部品が実装されている実装面と対向する側が開放されている箱部と、該箱部から前記回路基板側へ延出され、該回路基板の周縁部に係止される複数の取着爪と、前記箱部の開放側から前記実装面に沿う方向へ延出され、複数種類の回路基板の種類が表示されている複数の表示凸部とを有し、前記回路基板は、該回路基板に対応する前記表示凸部が非隠蔽となる非隠蔽部と、周縁部から前記実装面に沿う方向へ延出され、前記回路基板に対応しない前記表示凸部が隠蔽される隠蔽凸部とを有することを特徴とする。
【００１７】
この発明にあっては、支持部材に表示されている一つの表示凸部と対応する回路基板が取着されるとき、該回路基板の隠蔽凸部が回路基板に対応しない表示凸部を隠蔽し、回路基板に対応する表示凸部が非隠蔽になるため、この非隠蔽の表示凸部を目視することにより、回路基板の取着が正しいことを判別することができる。また、支持部材に表示されている一つの表示凸部と対応しない回路基板が取着されるとき、該回路基板の隠蔽凸部が回路基板に対応する表示凸部を隠蔽し、回路基板に対応しない表示凸部が非隠蔽になるため、この非隠蔽の表示凸部を目視することにより、回路基板の取着が誤っていることを判別することができる。
【発明の効果】
【００１８】
以上詳述したように本発明によれば、回路基板が取着されるとき、該回路基板に設けられている非隠蔽部が一つの表示部を閉鎖せず、隠蔽部が他の表示部を隠蔽するため、非隠蔽の表示部を目視することにより、回路基板の取着が正しいことを判別することができる。
【００１９】
また、本発明によれば、一稜に沿って並置されている複数の表示部を一目で目視することができるため、回路基板の取着が正しいか否かの判別を迅速に行うことができる。
【００２０】
また、本発明によれば、支持部材に表示されている第１の表示部と対応する回路基板が取着されるとき、該回路基板の隠蔽部が回路基板に対応しない第２の表示部を隠蔽し、回路基板に対応する第１の表示部が非隠蔽になるため、この非隠蔽の第１の表示部を目視することにより、回路基板の取着が正しいことを判別することができる。また、支持部材に表示されている第１の表示部と対応しない回路基板が取着されるとき、該回路基板の隠蔽部が回路基板に対応する第１の表示部を隠蔽し、回路基板に対応しない第２の表示部が非隠蔽になるため、この非隠蔽の第２の表示部を目視することにより、回路基板の取着が誤っていることを判別することができる。
【００２１】
また、本発明によれば、回路基板が取付装着されるとき、該回路基板に設けられている非隠蔽部が一つの表示凸部を隠蔽せず、隠蔽部が他の表示凸部を隠蔽するため、非隠蔽の表示凸部を目視することにより、回路基板の取着が正しいことを判別することができる。
【発明を実施するための最良の形態】
【００２２】
以下本発明をその実施の形態を示す図面に基づいて詳述する。図１は本発明に係る回路基板の取着構造を備える表示装置の構成を示す背面側の斜視図、図２は回路基板の取着構造を備える表示装置を分解した背面側の斜視図、図３は回路基板の取着構造の回路基板の構成を示す背面図、図４は回路基板の取着構造の支持部材の構成を示す背面側斜視図、図５は回路基板の取着構造の支持部材の構成を示す正面側斜視図、図６、図７は回路基板を支持部材に取着した状態を示す背面図である。
【００２３】
図１、図２に示した表示装置はテレビ画像を表示し、前面視略四角形をなす画像表示部１と、該画像表示部１の前側周縁部を取囲むフロントキャビネット２と、画像表示部１の後側を覆うバックキャビネット３と、画像表示部１を起立状態で支持するスタンド４とを備える液晶テレビであり、この液晶テレビは例えば２６−３７吋型間と、４６−５２吋型間で部品の共通化が図られている。
【００２４】
画像表示部１は前側に画像表示面を有する液晶のパネルと、該パネルの後側に配置された光学シートと、拡散板と、バックライト部と、画像表示面に画像を表示する画像表示手段とを備えている。また、画像表示部１の上部には、前記画像表示手段に動作指示信号を与える複数のスイッチ（実装部品）が実装された回路基板６及び該回路基板６を支持し、且つ前記スイッチに対応する操作部７を有する支持部材８とが装着されている。尚、画像表示部１の上部には横方向に離隔して二つの螺子孔が設けられている。
【００２５】
画像表示手段はマイクロプロセッサを用いてなる制御部を有しており、該制御部の入力部には、外部電源に接続される主電源スイッチ５ａと、表示メニューの入力を切換える入力切換スイッチ５ｂと、テレビ放送選択スイッチ５ｃと、音量調整スイッチ５ｄ等の実装部品が接続されている。
【００２６】
回路基板６の回路基板本体及び支持部材８は機種が異なる液晶テレビ間で共通化されており、機種が異なる液晶テレビに対応した前記スイッチ（実装部品）が回路基板本体に実装されている。従って、回路基板本体にスイッチが実層された回路基板６は種類が異なる。
【００２７】
回路基板６の回路基板本体は、略長方形をなし、長手方向両側に挿通孔６１，６１と、位置決め孔６２，６２とが設けられており、片側の実装面に主電源スイッチ５ａ、入力切換スイッチ５ｂ、テレビ放送選択スイッチ５ｃ及び音量調整スイッチ５ｄがこの順序で実装されており、また、長手方向一端側で、且つ幅方向一側に、回路基板６が支持部材８に取着されるとき、支持部材８の後記する二つの表示部８１，８２の一方が非隠蔽となる非隠蔽部６３と、周縁部から前記実装面に沿う方向へ延出され、表示部８１，８２の他方が隠蔽される隠蔽部６４（隠蔽凸部）とが設けられている。また、幅方向の両側部には後記する取着爪８３が係合する三つの被取着部６５が設けられている。
【００２８】
隠蔽部６４は、回路基板６の幅方向一側から前記実装面に沿う方向へ延出された凸部からなり、非隠蔽部６３は凸部がない構成になっている。種類が異なる回路基板６の一方６ａは、図６に示すように長手方向の途中に隠蔽部６４が設けられており、他方６ｂは、図７に示すように長手方向端部に隠蔽部６４が設けられている。
【００２９】
支持部材８は、回路基板６の実装面と対向する側が開放されている箱部８ａを有し、該箱部８ａの底部に操作部７、詳しくは主電源スイッチ５ａを操作する第１の押釦７ａ、入力切換スイッチ５ｂを操作する第２の押釦７ｂ、テレビ放送選択スイッチ５ｃを操作する第３の押釦７ｃ、音量調整スイッチ５ｄを操作する第４の押釦７ｄが夫々設けられている。
【００３０】
箱部８ａの開放側の一稜には、種類が異なる回路基板６ａ，６ｂの種類が表示されている二つの表示部８１，８２（表示凸部）が一稜に沿って設けられている。表示部８１，８２は、前記一稜から前記実装面に沿う方向へ延出された凸部からなり、前記一稜の長手方向に離隔して並設されている。また、箱部８ａの対向する側部には、可撓性を有し、回路基板６側へ延出されて三つの被取着部６５に係止される三つの取着爪８３（取着部）が突設されている。また、前記底部の長手方向両側には挿通孔６１，６１に対応する二つの挿通孔８４，８４と、位置決め孔６２，６２に対応する二つの位置決め凸部８５，８５とが設けられている。
【００３１】
第１の押釦７ａは箱部８ａの底部に開設された貫通孔８６に移動を可能に嵌入保持されており、第２〜第４の押釦７ｂ〜７ｄは前記底部と一体に可撓に成形されており、主電源スイッチ５ａと対応する位置に第１の押釦７ａ、入力切換スイッチ５ｂと対応する位置に第２の押釦７ｂ、テレビ放送選択スイッチ５ｃと対応する位置に第３の押釦７ｃ、音量調整スイッチ５ｄと対応する位置に第４の押釦７ｄが夫々配置され、第１〜第４の押釦７ａ〜７ｄを押し操作することにより主電源スイッチ５ａ、入力切換スイッチ５ｂ、テレビ放送選択スイッチ５ｃ、音量調整スイッチ５ｄを動作させることができるように構成されている。尚、主電源スイッチ５ａは、機種が異なる液晶テレビ間で大きさが異なるため、この主電源スイッチ５ａに対応する第１の押釦７ａは液晶テレビの機種に対応して、換言すると回路基板６の種類に応じて取替えを可能になっている。
【００３２】
バックキャビネット３の上部には操作部７の第１〜第４の押釦７ａ〜７ｄに対応する四つの開放孔３ａが設けられており、第１〜第４の押釦７ａ〜７ｄの一部が開放孔３ａから外部に突出しており、バックキャビネット３の外部で第１〜第４の押釦７ａ〜７ｄを押し操作することができるように構成されている。
【００３３】
以上のように構成された液晶テレビの回路基板６の回路基板本体及び支持部材８は機種が異なる液晶テレビ間で共通化されており、機種が異なる液晶テレビに対応した実装部品（主電源スイッチ５ａ、入力切換スイッチ５ｂ、テレビ放送選択スイッチ５ｃ、及び音量調整スイッチ５ｄ）が回路基板６の回路基板本体に実装されているため、実装部品が実装された回路基板６は種類が異なる。従って、種類が異なる回路基板６が、共通の支持部材８に取着される（尚、主電源スイッチ５ａに対応する第１の押釦７ａは、回路基板６の種類に応じて異なる。）。
【００３４】
種類が異なる回路基板６の一方６ａが支持部材８に取着される場合、図６に示すように位置決め凸部８５，８５が位置決め孔６２，６２に挿入されるとともに、三つの取着爪８３が被取着部６５に係止される。このとき、一方の回路基板６ａに対応しない表示部８２（４６−５２）は隠蔽部６４により隠蔽され、一方の回路基板６ａに対応する表示部８１（２６−３７）は非隠蔽部６３により隠蔽されない。従って、表示部８１（２６−３７）を目視することにより回路基板６の取着が正しいことを判別することができる。
【００３５】
また、種類が異なる回路基板６の他方６ｂが誤って支持部材８に取着される場合、図７に示すように他方の回路基板６ｂに設けられている隠蔽部６４が、一方の回路基板６ａに対応する表示部８１（２６−３７）を隠蔽し、一方の回路基板６ａに対応しない表示部８２（４６−５２）は非隠蔽部６３により隠蔽されないため、表示部８２（４６−５２）を目視することにより回路基板６の取着が誤っていることを判別することができる。
【００３６】
また、他方の回路基板６ｂが支持部材８に取着される場合、図７に示すように位置決め凸部８５，８５が位置決め孔６２，６２に挿入されるとともに、三つの取着爪８３が被取着部６５に係止される。このとき、他方の回路基板６ｂに対応しない表示部８１（２６−３７）は隠蔽部６４により隠蔽され、他方の回路基板６ｂに対応する表示部８２（４６−５２）は非隠蔽部６３により隠蔽されない。従って、表示部８２（４６−５２）を目視することにより回路基板６の取着が正しいことを判別することができる。
【００３７】
以上のように回路基板６が取着された支持部材８は、挿通孔８４，６１に挿通されるボルトを、画像表示部１の上部に開設されている前記螺子孔に緊締することにより画像表示部１に固定される。
【００３８】
図８〜図１１は他の実施の形態を示すもので、回路基板を支持部材に取着した状態の背面図である。この実施の形態の液晶テレビは、図１〜７に示した液晶テレビにおける支持部材８の表示部８１，８２の表示を正誤が明確となるように変更したものである。
【００３９】
支持部材８の箱部８ａの開放側一稜には一方の回路基板６ａに対応することが表示されている第１の表示部８１ａ（表示凸部）と、一方の回路基板６ａに対応しないことが表示されている第２の表示部８２ａ（表示凸部）とが並置されている。また、回路基板６には第１の表示部８１ａに対応する非隠蔽部６３と、第２の表示部８２ａに対応する隠蔽部６４（隠蔽凸部）とが設けられている。
【００４０】
この実施の形態にあっては、一方の回路基板６ａが支持部材８に取着される場合、図８に示すように位置決め凸部８５，８５が位置決め孔６２，６２に挿入されるとともに、三つの取着爪８３が被取着部６５に係止される。このとき、一方の回路基板６ａに対応しない第２の表示部８２ａ（４５−ＮＧ）は隠蔽部６４により隠蔽され、一方の回路基板６ａに対応する第１の表示部８１ａ（４５−ＯＫ）は非隠蔽部６３により隠蔽されない。従って、第１の表示部８１ａ（４５−ＯＫ）を目視することにより回路基板６の取着が正しいことを判別することができる。
【００４１】
また、他方の回路基板６ｂが誤って支持部材８に取着される場合、図９に示すように他方の回路基板６ｂに設けられている隠蔽部６４が、一方の回路基板６ａに対応する第１の表示部８１ａ（４５−ＯＫ）を隠蔽し、一方の回路基板６ａに対応しない第２の表示部８２ａ（４５−ＮＧ）は非隠蔽部６３により隠蔽されないため、第２の表示部８２ａ（４５−ＮＧ）を目視することにより回路基板６の取着が誤っていることを判別することができる。
【００４２】
また、他方の回路基板６ｂが支持部材８に取着される場合、図１０に示すように位置決め凸部８５，８５が位置決め孔６２，６２に挿入されるとともに、三つの取着爪８３が被取着部６５に係止される。このとき、他方の回路基板６ｂに対応しない第２の表示部８２ａ（３７−ＮＧ）は隠蔽部６４により隠蔽され、他方の回路基板６ｂに対応する第１の表示部８１ａ（３７−ＯＫ）は非隠蔽部６３により隠蔽されない。従って、第１の表示部８１ａ（３７−ＯＫ）を目視することにより回路基板６の取着が正しいことを判別することができる。
【００４３】
また、一方の回路基板６ａが誤って支持部材８に取着される場合、図１１に示すように一方の回路基板６ａに設けられている隠蔽部６４が、他方の回路基板６ｂに対応する第１の表示部８１ａ（３７−ＯＫ）を隠蔽し、他方の回路基板６ｂに対応しない第２の表示部８２ａ（３７−ＮＧ）は非隠蔽部６３により隠蔽されないため、第２の表示部８２ａ（３７−ＮＧ）を目視することにより回路基板６の取着が誤っていることを判別することができる。
その他の構成及び作用は図１〜７に示した実施の形態と同様であるため、同様の部品については同じ符号を付し、その詳細な説明及び作用効果の説明を省略する。
【００４４】
尚、本発明に係る回路基板６の取着構造は液晶テレビが備える他、プラズマ表示装置、ＥＬディスプレイ等の表示装置が備えてもよい。
【００４５】
また、回路基板６に実装される実装部品は、主電源スイッチ５ａ、入力切換スイッチ５ｂ、テレビ放送選択スイッチ５ｃ、及び音量調整スイッチ５ｄである他、適宜の電気部品、電子部品であってもよい。
【００４６】
また、回路基板６を支持する支持部材８は画像表示部１及びバックキャビネット３と別個の部材である他、画像表示部１又はバックキャビネット３を支持部材８としてもよい。
【図面の簡単な説明】
【００４７】
【図１】本発明に係る回路基板の取着構造を備える表示装置の構成を示す背面側の斜視図である。
【図２】本発明に係る回路基板の取着構造を備える表示装置を分解した背面側の斜視図である。
【図３】本発明に係る回路基板の取着構造の回路基板の構成を示す背面図である。
【図４】本発明に係る回路基板の取着構造の支持部材の構成を示す背面側斜視図である。
【図５】本発明に係る回路基板の取着構造の支持部材の構成を示す正面側斜視図である。
【図６】回路基板を支持部材に取着した状態を示す背面図である。
【図７】回路基板を支持部材に取着した状態を示す背面図である。
【図８】本発明に係る回路基板の取着構造の他の実施の形態を示すもので、回路基板を支持部材に取着した状態の背面図である。
【図９】本発明に係る回路基板の取着構造の他の実施の形態を示すもので、回路基板を支持部材に取着した状態の背面図である。
【図１０】本発明に係る回路基板の取着構造の他の実施の形態を示すもので、回路基板を支持部材に取着した状態の背面図である。
【図１１】本発明に係る回路基板の取着構造の他の実施の形態を示すもので、回路基板を支持部材に取着した状態の背面図である。
【符号の説明】
【００４８】
５ａ  主電源スイッチ（実装部品）
５ｂ  入力切換スイッチ（実装部品）
５ｃ  テレビ放送選択スイッチ（実装部品）
５ｄ  音量調整スイッチ（実装部品）
６    回路基板
６３  非隠蔽部
６４  隠蔽部（隠蔽凸部）
６５  被取着部
８    支持部材
８ａ  箱部
８１，８２  表示部（表示凸部）
８１ａ  第１の表示部（表示凸部）
８２ａ  第２の表示部（表示凸部）
８３  取着爪（取着部）
【図１】
2008004801.tif 000003
【図２】
2008004801.tif 000004
【図３】
2008004801.tif 000005
【図４】
2008004801.tif 000006
【図５】
2008004801.tif 000007
【図６】
2008004801.tif 000008
【図７】
2008004801.tif 000009
【図８】
2008004801.tif 000010
【図９】
2008004801.tif 000011
【図１０】
2008004801.tif 000012
【図１１】
2008004801.tif 000013